(57)【特許請求の範囲】
【請求項１】
出入口に設けられ、訪問者の外部個人情報を検知するセンサーと、
前記訪問者の外部個人情報を記憶する記憶手段と、
前記センサーにより検知された訪問者の外部個人情報と予め前記記憶手段に記憶された外部個人情報とを照合して両者が一致することを条件に、前記出入口を通した前記訪問者の入室を許容する訪問者チェック手段とを備えて、
訪問者の外部個人情報を、公衆通信回線に接続された通信端末に対して伝送し、当該訪問者が訪問する前に管理者の所定の操作により前記記憶手段に記憶することを可能としたことを特徴とする入室管理装置。
【請求項２】
訪問者を撮影するビデオカメラが設けられ、前記訪問者チェック手段は、前記ビデオカメラにより撮影された映像を画像処理してその特徴部を抽出する特徴部抽出手段と、前記特徴部抽出手段により抽出された特徴部と前記記憶手段に記憶された特徴部とを比較して訪問者をチェックする判断部とが備えられ、前記通信端末に対して伝送された訪問予定者の実画像から、前記特徴抽出手段により特徴を抽出して、その特徴部を前記記憶手段に記憶することを特徴とする請求項１に記載の入室管理装置。
【発明の詳細な説明】
【０００１】
【発明の属する技術分野】
本発明は、入室管理装置に関し、特に入室管理用外部個人情報の登録に関する。
【０００２】
【従来の技術】
従来、この種の入室管理装置として、例えば、出入口に設けられ、訪問者を検知するセンサを備えて、そのセンサから検知された訪問者の外部個人情報と、予め記録された入室管理用外部個人情報とを照合して一致した特定の者のみに入室を許容するものが知られている。
【０００３】
【発明が解決しようとする課題】
ところが、上述した従来の入室管理装置においては、入室管理用外部個人情報を新規登録するには、その入室管理装置で直接登録するしかなく、例えば、遠隔地からの初回訪問予定者に対して、その者の外部個人情報を予め登録することができず、訪問時に管理人等が居なければ入室することができないという欠点があった。
本発明は、上記事情に鑑みてなされたもので、その目的は、遠隔地の者の入室管理用外部個人情報を予め記憶しておくことが可能な入室管理装置を提供するところにある。
【０００４】
【課題を解決するための手段】
上記目的を達成するため、請求項１に係る入室管理装置は、出入口に設けられ、訪問者の外部個人情報を検知するセンサーと、訪問者の外部個人情報を記憶する記憶手段と、センサーにより検知された訪問者の外部個人情報と予め記憶手段に記憶された外部個人情報とを照合して両者が一致することを条件に、出入口を通して訪問者の入室を許容する訪問者チェック手段とを備えて、訪問者の外部個人情報を、公衆通信回線に接続された通信端末に対して伝送し、当該訪問者が訪問する前に管理者の所定の操作により記憶手段に記憶することを可能としたところに特徴を有する。
【０００５】
また、請求項２に係る発明は、訪問者を撮影するビデオカメラが設けられ、訪問者チェック手段は、ビデオカメラにより撮影された映像を画像処理してその特徴部を抽出する特徴部抽出手段と、特徴部抽出手段により抽出された特徴部と記憶手段に記憶された特徴部とを比較して訪問者をチェックする判断部とが備えられ、通信端末に対して伝送された訪問予定者の実画像から、特徴抽出手段により特徴を抽出して、その特徴部を記憶手段に記憶するところに特徴を有する。
【０００６】
【発明の作用及び効果】
＜請求項１の発明＞
請求項１の構成によれば、遠隔地の訪問予定者は、事前に、自分の外部個人情報を、通信端末から通信回線を介して、訪問先の入室管理装置に接続された管理用の通信端末に伝送する。ここで、上記入室管理装置は、管理用の通信端末に対して伝送された外部個人情報を記憶手段に記憶することができるので、上記訪問予定者が、その訪問先に初めて訪れる場合であっても、予め入室管理装置の記憶手段にその者の外部個人情報を記憶することが可能となる。したがって、初回訪問時であっても、その者をセンサによって検知した外部個人情報と記憶手段に記憶された外部個人情報とが一致して、入室が許容される。
このように、遠隔地の訪問予定者は、予め自分の外部個人情報を通信回線を介して管理用通信端末に伝送しておけば、入室管理装置の記憶手段に記憶することが可能となり、初回訪問時から入室管理装置に対して入室が許容される状態にすることができる。
【０００７】
＜請求項２の発明＞
請求項２の構成によれば、訪問予定者は自分の外部個人情報として、その者が写った実画像を伝送する。そして、管理用通信端末に伝送された実画像は、特徴抽出手段により特徴部が抽出されて、その特徴部を外部個人情報として記憶手段に記憶することができる。
【０００８】
【発明の実施の形態】
以下、本発明の一実施形態について図１ないし図５を参照して説明する。
本実施形態の入室管理装置１０は、無人入室管理装置であって、玄関先に設けられる監視部４０と、室内に設けられる入室制御部２０とから構成される。
監視部４０には、訪問者を撮影するためのカメラ４２と入室スイッチ４１とが備えられ、入室制御部２０には、監視部４０のカメラ４２が撮影した映像を映し出すディスプレイ２５、キー入力装置２６、入室監視スイッチ２１、第１特徴登録スイッチ２２及び第２特徴登録スイッチ２３が備えられている。
【０００９】
図１に示すように、監視部４０内には、監視部画像信号処理部４３が、カメラ４２からの画像信号を処理して、入室制御部２０の制御部３０及び第１実画像取得メモリ２８に送信する。
【００１０】
一方、入室制御部２０内には、半導体メモリにより構成した記憶部２４が設けられ、ポインタアドレス、特徴部データ及び名前データの項目からなるデータベースを構成する。また、上記記憶部とは別に、訪問者のワンショット実画像データを一時的に保存する第１実画像取得メモリ２８及び第２実画像取得メモリ２９が設けられている。そのうち、第１実画像取得メモリ２８は、訪問者が入室スイッチ４１を押下するごとに、監視部画像信号処理部４３からのワンショット実画像データを一人分記憶する。第２実画像取得メモリ２９は、遠隔地のパソコン５３と公衆通信回線５２を介して接続された管理用パソコン５１から伝送された実画像データを伝送されるごとに一人分記憶する。
【００１１】
入室制御部２０内の制御部３０には、入室制御部画像信号処理部２７を介して液晶型のディスプレイ２５が接続されており、これにて監視部４０のカメラ４２で撮像して入室制御部２０側に送られた画像信号をディスプレイ２５にリアルタイムで表示することができる。
【００１２】
また、制御部３０内には、特徴抽出部３１と判断部３２とを備える。このうち、特徴抽出部３１は、第１実画像取得メモリ２８及び第２実画像取得メモリ２９より受け取ったワンショット実画像データから特徴部を抽出する。ここで、後述する作用説明で明らかにされるが、入室監視スイッチ２１がオン操作された状態のときには、その抽出された特徴部データを判断部３２に送信する。そして、判断部３２は、その送信された特徴部データと、記憶部２４から読み込んだ特徴部データとを比較する。一方、第１特徴登録スイッチ２２又は第２特徴登録スイッチ２３がオン操作された状態では、特徴抽出部３１で抽出された特徴部データは、自動配番されるポインタアドレスに対応して記憶部２４に書き込まれる。
【００１３】
さて、本実施形態のハードウエア的構成は以上の通りであり、次にその作用を前記制御部３０にて実行されるプログラムのフローチャートを参照しつつ説明する。この作用説明にて本実施形態のソフトウエア的構成が明らかになるはずである。
＜入室管理時＞
訪問者の入室管理を実行したいときには、入室制御部２０の入室監視スイッチ２１をオン操作しておく。そして、訪問者により入室スイッチ４１がオン操作されたときには、図３のフローチャート（入室管理ルーティン）に示す制御が実行される。まず、ステップＳ１１からステップＳ１８において、個人識別チェックが行われる。まず、特徴抽出部３１にて、第１実画像取得メモリ２８から取得したワンショット実画像から特徴部を抽出し（ステップＳ１１，１２）、判断部３２にて、記憶部２４から読込まれた外部個人情報としての特徴部データと比較して一致するか否かを判断する（ステップＳ１４〜１６）。これらのステップは、特徴部が一致するか、又は記憶部２４内に記憶された特徴部データがなくなるまでポインタアドレスＮＯ順に実行される（ステップＳ１７）。そして、一致すれば「ＹＥＳ」となり、一致フラグがセットされる（ステップＳ１８）。
次いで、特徴部が一致（一致フラグのセットあり）したときには、ステップＳ１９において、「ＹＥＳ」となり出入口の扉のロックが解除される（ステップＳ２０）。これにより特定の訪問者のみ前記出入口からの入室が許容される。一方、特徴部が一致しない（一致フラグのセットなし）ときには、扉のロックは解除されずに、入室拒否の旨のメッセージが監視部４０の図示しないスピーカから再生される（ステップＳ２１）。
【００１４】
＜監視部４０のカメラ４２からの外部個人情報を登録＞
監視部４０のカメラ４２を介して訪問者の特徴を新規登録したいときには、管理者は、入室監視スイッチ２１をオフ操作した状態で、第１特徴登録スイッチ２２をオン操作する。すると、図４のフローチャート（第１特徴登録ルーティン）に示す制御が実行される。まず、ステップＳ２１において、第１実画像取得メモリ２８に記憶されたワンショット実画像をディスプレイ２５にて表示する。次いで、管理者がディスプレイ２５に表示された訪問者の名前をキー入力装置２６で入力したときには（ステップＳ２２）、上記のワンショット実画像から特徴部を抽出して（ステップＳ２３）、外部個人情報としての特徴部・名前データを記憶部２４の空きポインタアドレスに対応させて記憶する（ステップＳ２４〜２７）。
【００１５】
＜遠隔地の者の外部個人情報を登録＞
さて、遠隔地の者の外部個人情報を新規登録したいときには、まず、管理者は、遠隔地のパソコン５３を介して、その者の実画像データを管理用パソコン５１に転送してもらうように依頼する。なお、本実施形態では、上記実画像データは、デジタルカメラで撮影された遠隔地の者の実画像をインターネットメールにファイルとして添付して、公衆通信回線５２を介して転送される。転送された実画像は、管理用パソコン５１を介して第２実画像取得メモリ２９に保存する。次いで、入室監視スイッチ２１をオフ操作した状態で、第２特徴登録スイッチ２３をオン操作する。すると、図５のフローチャート（第２特徴登録ルーティン）に示す制御が実行される。まず、ステップＳ３１において、第２実画像取得メモリ２９に記憶されたワンショット実画像をディスプレイ２５にて表示する。次いで、管理者がディスプレイ２５に表示された遠隔地の者の名前をキー入力装置２６で入力したときには（ステップＳ３２）、上記のワンショット実画像から特徴部を抽出して（ステップＳ３３）、外部個人情報としての特徴部・名前データを記憶部２４の空きポインタアドレスに対応させて記憶する（ステップＳ３４〜３７）。これにより、再度、入室監視スイッチ２１をオン操作しておけば、その後、上記遠隔地の者が、実際に訪れて監視部４０の入室スイッチ４１をオン操作したときには、上述した図３のフローチャート（入室管理ルーティン）に示す制御が実行され、ロックが解除される。
【００１６】
このように、本実施形態の入室管理装置１０によれば、訪問者の入室をチェックするための外部個人情報を、監視部４０のカメラ４２により撮影されたワンショット実画像だけでなく、管理用パソコンから伝送される実画像データをも記憶部２４に記録することができる。これにより、遠隔地の者の外部個人情報であっても、予めインターネットを介してその者の実画像を取得しておけば、管理者によりその実画像データも記憶部２４に記憶することができる。したがって、その遠隔地の者の初回訪問時から入室管理装置に対して入室が許容される状態にすることができる。
【００１７】
＜他の実施形態＞
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態においては、伝送された遠隔地の者の実画像データは、管理用パソコン５１と入室管理装置１０とを通信回線を介して接続して、管理用パソコン５１の操作により記憶部２４に書き込まれるとしたが、これに限られず、例えば、記憶部２４は、フロッピーディスクなどの移動可能な情報記録媒体であるとして、管理用パソコン５１にて上記実画像データをフロッピーディスクに書き込むものであっても良い。
【００１８】
（２）上記実施形態においては、訪問者を認識するために照合される対象をカメラ４２で撮影した実画像又は遠隔地の者から伝送された実画像から抽出した特徴部としたが、これに限られず、個人を認識できるものであれば、例えば、人の指紋、声や虹彩から抽出した特徴部であってもよい。但し、実画像や音声であれば、遠隔地のパソコンが市販のパソコンであっても、汎用のデジタルカメラやマイクにより伝送するための外部個人情報を取得することができる。
【００１９】
（３）また、上記実施形態においては、照合対象を画像から抽出した特徴部一つとしたが、これに限らず、より正確に訪問者を特定するために、画像と音声とから抽出した特徴部を照合対象とするなど、複数であってもよい。
【００２０】
（４）上記実施形態においては、管理用パソコン５１と遠隔地のパソコン５３とは、公衆通信回線で接続されるとしたが、これに限られず、例えば、社内専用回線で接続され、社内メールを利用して外部個人情報を伝送するものであってもよい。
【図面の簡単な説明】
【図１】  入室制御部内及び監視部内のブロック図
【図２】  制御の内容を示すフローチャート
【図３】  入室管理ルーティンのフローチャート
【図４】  第１特徴登録ルーティンのフローチャート
【図５】  第２特徴登録ルーティンのフローチャート
【符号の説明】
１０…インターホン
２０…入室制御部
２１…入室監視スイッチ
２３…第２特徴登録スイッチ
２４…記憶部
３０…制御部
３１…特徴抽出部
３２…判断部
４０…監視部
４２…カメラ
５１…管理用パソコン
５２…公衆通信回線
５３…遠隔地のパソコン
【図１】
0004550244.tif 000002
【図２】
0004550244.tif 000003
【図３】
0004550244.tif 000004
【図４】
0004550244.tif 000005
【図５】
0004550244.tif 000006